(57)【要約】【課題】植生舗装ブロック（ユニット）のずれを防止し舗装に隙間や凹凸ができないようにする。また、植生した植物が傷みにくく、復旧も容易にできるようにする。【解決手段】外側面に連結手段を有するプラスチック製枠体内に植生材を充填した植生ユニットと、外側面に連結手段を有するプラスチック製枠体内に硬化材を充填硬化させた舗装ユニットを適宜に組み合わせて地盤上に敷設し、地盤を覆う植生舗装構造であって、隣り合う各ユニットを前記連結手段で連結することで、前記課題を解決する。【選択図】      図２
2011106207.tif 000002
【特許請求の範囲】
【請求項１】
外側面に連結手段を有するプラスチック製枠体内に植生材を充填した植生ユニットと、外側面に連結手段を有するプラスチック製枠体内に硬化材を充填硬化させた舗装ユニットを適宜に組み合わせて地盤上に敷設し、地盤を覆う植生舗装構造であって、隣り合う各ユニットを前記連結手段で連結することを特徴とする植生舗装構造。
【請求項２】
前記連結手段が前記枠体外側面から外側に突出形成した連結凸部、及び該連結凸部に対応して前記枠体外側面に凹設した連結凹部である請求項１に記載の植生舗装構造。
【請求項３】
前記連結凸部が、上部に形成され側面長手方向に楔状に張り出す上向き突部と、下部に形成され側面長手方向に楔状に張り出す下向き突部を有し、該上向き突部と下向き突部が内外方向にずれて形成され、
前記連結凹部が、その内側面に前記上向き突部及び下向き突部に対応して楔状に該凹部内側に張り出す上方受部及び下方受部を有し、
前記連結凸部を上方又は下方から前記連結凹部内に挿入したときに、一方の前記突部が対応する受部を乗り越え、他方の突部の基端面が対応する受部の基端面に当接し、各突部の基端面と対応する受部の基端面が当接することで上下方向のずれが規制される請求項２に記載の植生舗装構造。
【請求項４】
前記連結凸部が、上部に楔状に張り出し形成した上向き突部と、下部に楔状に張り出し形成した下向き突部を有し、前記連結凹部の、少なくとも前記突部に対応する部分の上端面が前記枠体上端よりも低く、下端面が前記枠体下端よりも高く形成され、
前記連結凸部を上方又は下方から前記連結凹部内に挿入したときに、前記一方の突部が前記連結凹部から下方又は上方に脱出し、前記各突部の基端面が前記上端面及び下端面に当接することで上下方向のずれが規制される請求項２に記載の植生舗装構造。
【請求項５】
前記舗装ユニットの枠体が、上面及び下面が開口し、対向する内側面に両端が結合している補強棒を網目状に一体形成したものである請求項１〜４のいずれかに記載の植生舗装構造。
【発明の詳細な説明】
【技術分野】
【０００１】
本発明は、駐車場、公園などに用いて好適な植生舗装構造に関する。
【背景技術】
【０００２】
下記特許文献１に記載されているように、表裏貫通する開口部を有し、複数個を連続して敷設し、前記開口部に植生を施すコンクリート製の植生舗装ブロックが知られている。
【先行技術文献】
【特許文献】
【０００３】
【特許文献１】実用新案登録第３０２５３２６号公報
【発明の概要】
【発明が解決しようとする課題】
【０００４】
この種の植生舗装ブロック（ユニット）は、開口部に植生基材を充填し、その植生基材に芝などの植物を植え付け、繁茂させるものである。
この種のブロックはコンクリート製であり、隣り合うブロックどうしを連結するのが困難であるので、これによる舗装はブロックが水平方向にずれ、隙間が空いて見苦しくなったり、上下方向にずれて凸凹になったりするという問題がある。
また、車の通行の多いところは植生した植物の傷みが激しく、枯れてしまい、一度枯れると再び植え付けを行わなければならず、復旧に手間と時間を要するという問題もある。
【０００５】
本発明は、上記の問題点を改善し、ユニットのずれを防止し舗装に隙間や凹凸ができないようにすること、植生した植物が傷みにくく、復旧も容易にできるようにすることを課題としてなされたものである。
【課題を解決するための手段】
【０００６】
〔請求項１〕
本発明は、外側面に連結手段を有するプラスチック製枠体内に植生材を充填した植生ユニットと、外側面に連結手段を有するプラスチック製枠体内に硬化材を充填硬化させた舗装ユニットを適宜に組み合わせて地盤上に敷設し、地盤を覆う植生舗装構造であって、隣り合う各ユニットを前記連結手段で連結することを特徴とする植生舗装構造である。
【０００７】
ユニットがプラスチック製の枠体なので、射出成形で容易に連結手段を設けることができる。
連結手段は、周知の形状（例えば凹凸嵌合形状）を用いることができ、水平方向にユニットのずれを防止できるものであればよいが、上下方向にもずれを防止できるものがさらに好適である。
枠体のプラスチック材料は、例えばポリプロピレン、ポリエチレン等のポリオレフィン系樹脂を使用できるが、これに限るものではなく、必要な強度を有するものであればよい。また、廃棄プラスチックを再生した再生プラスチックを用いることもできる。
【０００８】
植生ユニットに充填する植生材は、芝生マット、植生土に種々の植物の種子や苗を植え付けたものなどを使用できる。
【０００９】
舗装ユニットに充填する硬化材は、普通コンクリート、ポーラスコンクリート、ゴムチップとバインダーを混合したもの、土にセメント等の固化剤を混ぜたもの、アスファルトコンクリート等を使用できる。
舗装ユニットの枠体は、硬化材を充填するときの型枠も兼ねるので、舗装ユニットをきわめて容易に製造できる。
【００１０】
例えば駐車場の舗装において、自動車のタイヤが頻繁に通る部分を舗装ユニットとし、その他の部分を植生ユニットにすることで、植生した植物の傷みを防ぐことができる。また万一、植生ユニット又は舗装ユニットが傷んだ場合でも、そのユニットだけを交換することで容易に復旧することができる。
また例えば、公園の歩道や広場の舗装に用いる場合、植生ユニットと舗装ユニットを市松模様などの特定のパターンで組み合わせることで、美感に優れた植生舗装を実現できる。植生ユニットに舗装ユニットを組み合わせることで、舗装の強度が確保される。
【００１１】
〔請求項２〕
また本発明は、前記連結手段が前記枠体外側面から外側に突出形成した連結凸部、及び該連結凸部に対応して前記枠体外側面に凹設した連結凹部である請求項１に記載の植生舗装構造である。
【００１２】
連結手段の具体例としては、枠体外側面から外側に突出形成した連結凸部、及び該連結凸部に対応して枠体外側面に凹設した連結凹部とすることができる。
連結凸部と連結凹部を凹凸嵌合させることで、隣り合うユニットを連結固定できる。連結凹部は上下方向に貫通し、連結凸部を上下方向から挿入できるものであることが望ましい。
【００１３】
〔請求項３〕
また本発明は、前記連結凸部が、上部に形成され側面長手方向に楔状に張り出す上向き突部と、下部に形成され側面長手方向に楔状に張り出す下向き突部を有し、該上向き突部と下向き突部が内外方向にずれて形成され、前記連結凹部が、その内側面に前記上向き突部及び下向き突部に対応して楔状に該凹部内側に張り出す上方受部及び下方受部を有し、前記連結凸部を上方又は下方から前記連結凹部内に挿入したときに、一方の前記突部が対応する受部を乗り越え、他方の突部の基端面が対応する受部の基端面に当接し、各突部の基端面と対応する受部の基端面が当接することで上下方向のずれが規制される請求項２に記載の植生舗装構造である。
【００１４】
連結凸部及び連結凹部を上記のように構成することで、連結凸部を上方又は下方から連結凹部内に挿入して連結することができ、しかも、ユニットのずれを、水平方向はもちろん上下方向も防止することができる。
本発明において、「上向き」「下向き」は、楔状の幅の狭い方が向いている方向を意味し、「基端面」は楔状の幅の広い方の端面を意味する。
【００１５】
〔請求項４〕
また本発明は、前記連結凸部が、上部に楔状に張り出し形成した上向き突部と、下部に楔状に張り出し形成した下向き突部を有し、前記連結凹部の、少なくとも前記突部に対応する部分の上端面が前記枠体上端よりも低く、下端面が前記枠体下端よりも高く形成され、
前記連結凸部を上方又は下方から前記連結凹部内に挿入したときに、前記一方の突部が前記連結凹部から下方又は上方に脱出し、前記各突部の基端面が前記上端面及び下端面に当接することで上下方向のずれが規制される請求項２に記載の植生舗装構造である。
【００１６】
連結凸部及び連結凹部を上記のように構成しても、連結凸部を上方又は下方から連結凹部内に挿入して連結することができ、しかも、ユニットのずれを、水平方向はもちろん上下方向も防止することができる。
ただし、この場合は、連結凹部の高さが小さくなるので、前記請求項３の場合に比べて連結凹部の強度が減少する。
【００１７】
〔請求項５〕
また本発明は、前記舗装ユニットの枠体が、上面及び下面が開口し、対向する内側面に両端が結合している補強棒を網目状に一体形成したものである請求項１〜４のいずれかに記載の植生舗装構造である。
【００１８】
補強棒を網目状に設けることで、枠体内に硬化材を充填するときに枠体の変形が防止でき、また、舗装ユニットに曲げ応力が生じたときの補強材となり、補強鉄筋の役割を果たす。したがって、ブロックを成形するときに補強鉄筋を装着する手間が省略できる。
補強棒は、枠体の射出成形において、枠体と一体に成形される。
【発明の効果】
【００１９】
本発明の植生舗装構造は、連結手段によってユニットのずれが防止されるので、舗装に隙間や凹凸ができない。
植生した植物が傷みにくいように植生ユニットと舗装ユニットを組み合わせることが可能で、万一植生ユニット又は舗装ユニットが傷んだ場合でも、そのユニットのみを交換することで、容易に復旧することができる。
また、植生ユニットと舗装ユニットを市松模様などの特定のパターンで組み合わせることで、美感に優れた植生舗装を実現できる。植生ユニットに舗装ユニットを組み合わせることで、舗装の強度が確保される。
舗装ユニットの枠体は、硬化材を充填するときの型枠も兼ねるので、舗装ユニットをきわめて容易に製造できる。
【図面の簡単な説明】
【００２０】
【図１】枠体１１の上面図である。
【図２】枠体１１の斜視図である。
【図３】図１におけるＡ−Ａ線断面図である。
【図４】緑化ユニットの線断面図である。
【図５】枠体２１の平面図である。
【図６】枠体２１の底面図である。
【図７】枠体２１の斜視図である。
【図８】図５におけるＢ−Ｂ線断面図である。
【図９】舗装ユニットの略断面図である。
【図１０】連結凸部の平面図（ａ）、正面図（ｂ）、底面図（ｃ）及び側面図（ｄ）である。
【図１１】連結凸部の斜視図である。
【図１２】連結凹部の平面図（ａ）、正面図（ｂ）、底面図（ｃ）及び側面図（ｄ）である。
【図１３】連結凹部の斜視図である。
【図１４】連結突部を連結凹部に挿入するときの説明図である。
【図１５】連結突部を連結凹部に挿入するときの説明図である。
【図１６】連結凸部と連結凹部の連結状態の平面図である。
【図１７】図１６におけるＣ−Ｃ線断面図である。
【図１８】連結凸部と連結凹部の連結状態の斜視図である。
【図１９】緑化ユニットと舗装ユニットの連結例の略平面図である。
【図２０】連結凸部の平面図（ａ）及び正面図（ｂ）である。
【図２１】連結凹部の平面図（ａ）及び背面図（ｂ）である。
【図２２】連結凸部と連結凹部の連結状態の平面図である。
【図２３】図２２におけるＤ−Ｄ線断面図である。
【図２４】実施例の植生舗装構造を有する駐車場の平面説明図である。
【図２５】実施例の植生舗装構造を有する駐車場の平面説明図である。
【図２６】実施例の植生舗装構造の平面説明図である。
【発明を実施するための形態】
【実施例】
【００２１】
図１〜３は、本発明の植生舗装構造に使用する緑化ユニット１の枠体１１の説明図である。
枠体１１は、プラスチック製（ポリエチレン・ポリプロピレンを主体とするポリオレフィン系再生プラスチック製）で平面視四辺形（正方形）の箱状をなし、４つの各辺（側壁外周部）に連結手段としての連結凸部１２及び連結凹部１３を有する。１辺における連結凸部１２と連結凹部１３の位置は中心線に対して対称の位置にあり、各辺の連結凸部１２及び連結凹部１３の位置関係は点対称（中心点において９０°ずつ回転したもの）となっている。
底面には、水はけのために穴１４が１６個設けられているが、このような穴は、場合によっては設けなくとも良い。
緑化ユニット１は、枠体１１の内部に植生材１５（本実施例の場合は芝生マット）を充填したものである。（図４）
【００２２】
図５〜８は、本発明の植生舗装構造に使用する舗装ユニット２の枠体２１の説明図である。
枠体２１は、プラスチック製（ポリエチレン・ポリプロピレンを主体とするポリオレフィン系再生プラスチック製）で平面視長方形の箱状をなし、４つの各辺（側壁外周部）に連結手段としての連結凸部２２及び連結凹部２３を有する。枠体２１の短辺の長さは前記枠体１の辺の長さと等しく、長辺の長さはその２倍となっている。枠体２１の短辺における連結凸部２２及び連結凹部２３の位置は、前記枠体１１における連結凸部１２及び連結凹部１３の位置に等しく、長辺における連結凸部２２及び連結凹部２３の位置は、前記枠対１１を２個並べた場合の連結凸部１２及び連結凹部１３の位置に等しくなっている。
枠体２１は、上面及び下面が開口しており、対向する内側面に両端が結合している補強棒２４を網目状に一体形成している。補強棒２４は、舗装ユニットに曲げ力が作用したときの引張補強となるので、深さ方向中央よりもやや下方に配置することが望ましい。この場合、補強棒２４の断面はＨ形であるが、これに限るものでなく、四角形、円形など自由である。
舗装ユニット２は、枠体２１の内部に硬化材２５（本実施例の場合は普通コンクリート）を充填したものである。（図９）
【００２３】
舗装ユニット２は、鉄板などの平面状の底型の上に枠体２１を上下反転して置き、上から（底面側から）コンクリートを流し込んで製造することができる。ユニットの表面は底型と接して成形されるので平滑に成形でき、底型表面に凹凸模様を設けておけば、その模様がユニット表面に転写される。
従来のコンクリートのみのユニットに比べて、型枠の側板が不要なので、型枠コストが低減され、型枠の組み立て、脱型作業がきわめて容易になり、製造効率が著しく向上する。
【００２４】
図１０，１１は、枠体１１の連結凸部１２の説明図である。
連結凸部１２は、枠体１１の側壁から本体（２本の垂直方向の柱状本体）が外方に突出形成されており、側面長手方向（枠体の側壁と平行な水平方向）に楔状に張り出す上向き突部１２ａと下向き突部１２ｂを有する。この場合の「上向き」「下向き」は、楔状の幅の狭い方が向いている方向を意味する。上向き突部１２ａは連結凸部１２の上部に形成され、下方にいくほど突出量が大きくなる楔状で最下部が下向きの基端面となっている。下向き突部１２ｂは、連結凸部の下部に形成され、上方に行くほど突出量が大きくなる楔状で最上部が上向きの基端面となっている。また、上向き突部１２ａと下向き突部１２ｂは内外方向（枠体の側壁の厚み方向）にずれて形成されている。この場合は、上向き突部１２ａが内側（枠体寄り）、下向き突部１２ｂが外側になっているが、その逆であってもよい。（図１０（ａ））
【００２５】
図１２，１３は、枠体１１の連結凹部１３の説明図である。
連結凹部１３は、枠体１１の側壁の外側面が平面視Ｕ字状に内側に引っ込むように凹設され、上下方向に貫通している。連結凹部１３の基端両側には、連結凹部の入口の幅を狭めるように袖壁部１３ｃが垂直に突出形成されている。連結凹部１３の内側面には、内側面から凹部の内側に張り出す上方受部１３ａと下方受部１３ｂが形成されている。上方受部１３ａは、上方に行くほど張出量が大きくなる楔状で最上部が上向きの基端面となっている。下方受部１３ｂは、下方に行くほど張出量が大きくなる楔状で最下部が下向きの基端面となっており、上方受部１３ａよりも下側に形成されている。
上方受部１３ａと下方受部１３ｂは、内外方向（枠体の側壁の厚み方向）にずれて形成されている。上方受部１３ａは連結凸部の上向き突部１２ａに対応して外側に形成され、下方受部１３ｂは連結凸部の下向き突部１２ｂに対応して内側に形成されている。（図１２（ａ））
【００２６】
連結凸部１２は、上下いずれの方向からも連結凹部１３に挿入して連結することができる。
図１４は連結凸部１２を連結凹部１３の上方から挿入する場合、図１５は連結凹部１３の下方から挿入する場合である。図１６〜１８は挿入が完了して連結された状態を示している。
連結凸部１２を連結凹部１３に上方から挿入すると、連結凸部１２の下向き突部１２ｂが連結凹部１３の下方受部１３ｂと接触するが、双方が弾性変形しながら更に継続して挿入が続き、やがて下向き突部１２ｂが完全に下方受部１３ｂの下方になると上向き突部１２ａの基端面が上方受部１３ａの基端面に当接し、挿入が停止する。このとき、下向き突部１２ｂが弾性復帰して図１７の状態となる。
連結凸部１２を連結凹部１３に下方から挿入すると、連結凸部１２の上向き突部１２ａが
連結凹部１３の上方受部１３ａと接触するが、双方が弾性変形しながら更に継続して挿入が続き、やがて上向き突部１２ａが完全に上方受部１３ａの上方になると下向き突部１２ｂの基端面が下方受部１３ｂの基端面に当接し、挿入が停止する。このとき、上向き突部１２ａが弾性復帰して図１７の状態となる。
連結状態において、連結凸部と連結凹部は上下方向のずれが防止される。連結凸部が上方向にずれようとした場合、下向き突部１２ｂの基端面が下方受部１３ｂの基端面に当接し、連結凸部が下方向にずれようとした場合、上向き突部１２ａの基端面が上方受部１３ａの基端面に当接するからである。
また、連結凸部１２は連結凹部１３内に挿入されているので、水平方向のずれが防止されることはもちろんである。
【００２７】
舗装ユニット２の連結凸部２２、連結凹部２３は、植生ユニット１の連結凸部１２、連結凹部１３と全く同じ構造になっている。
したがって、植生ユニットと植生ユニット、舗装ユニットと舗装ユニット、植生ユニットと舗装ユニットを自由に連結することができる。
図１９は、各ユニットの連結状態を示している。同図左側は植生ユニット１と植生ユニット１が連結され、右側は舗装ユニット２と舗装ユニット２が連結され、中央は植生ユニット１と舗装ユニット２が連結されている。
【００２８】
図２０〜２３は、植生ユニット及び舗装ユニットの連結凸部、連結凹部の他例を示している。
図２０の連結凸部１６は、枠体１１の側壁から本体（垂直方向の柱状本体）が外方に突出形成されており、上部に楔状に張り出し形成した上向き突部１６ａと、下部に楔状に張り出し形成した下向き突部１６ｂを有する。この場合、上向き突部と下向き突部は側方（枠体の側壁と平行方向）に張り出しているが、これと直角方向に張り出していても良い。
【００２９】
図２１の連結凹部１７は、枠体１１の側壁の外側面が平面視Ｕ字状に内側に引っ込むように凹設され、上下方向に貫通している。連結凹部１７の基端両側には、連結凹部の入口の幅を狭めるように袖壁部１７ｃが垂直に突出形成されている。連結凹部１７の上端面１７ａはユニット上端（＝枠体１１上端）よりも低く、下端面１７ｂはユニット下端（＝枠体１１下端）よりも高く形成されている。本実施例の場合、連結凹部の上端面・下端面全体が上記のようになっているが、上向き突部１６ａ・下向き突部１６ｂに対応する部分のみが上記のようになっていても良い。これは、図２３のように連結凸部と連結凹部を連結した場合、上向き突部１６ａ・下向き突部１６ｂがユニット（枠体）から上下方向に突出しないようにするためである。
【００３０】
図２２，２３は、連結凸部１６と連結凹部１７を連結した状態を示している。この場合も、前記実施例と同様に、連結凸部１６は、上下いずれの方向からも連結凹部１７に挿入して連結することができる。
連結状態において、連結凸部の上向き突部１６ａの基端面は連結凹部の上端面１７ａと、下向き突部１６ｂの基端面は下端面１７ｂに当接するので、上下方向のずれが防止される。もちろん、水平方向のずれも防止される。
【００３１】
図２４，２５は、植生ユニット１と舗装ユニット２を地盤上に敷設し、地盤を覆って植生舗装を施した駐車場を示している。図２４，２５では、植生ユニット１と舗装ユニット２の組み合わせ方（配置）が若干異なっている。
中央通路３を挟んで両側が駐車スペースとなっており、駐車スペースにおける自動車の車輪が通過する部分に舗装ユニット２を配置し、その他の部分に植生ユニット１を配置している。
植生ユニット１と舗装ユニット２を敷設する地盤は、地面でもよいしコンクリートやアスファルト等の舗装でもよい。地盤上に厚さ１０〜２０ｍｍ程度の砂を敷き、その上に植生ユニット１と舗装ユニット２を敷設することが望ましいが、地盤上に直接敷設することもできる。植生ユニット１と舗装ユニット２の敷設は、各ユニットを、連結凸部１２，２２と連結凹部１３，２３を連結しながら順次並べていけばよいので、きわめて簡単である。自動車の停止位置には車止め４を設けている。
中央通路３は、コンクリートやアスファルト等の舗装としてもよいし、舗装ユニット２を敷設したものとすることもできる。
【００３２】
万一、植生ユニット１又は舗装ユニット２が損傷した場合、その損傷したユニットのみを容易に交換することができる。
その場合、交換するユニットをバールでこじるなどして連結凸部と連結凹部の連結を解除し、浮き上がらせて取り除き、その後、取り除いた部分に新たなユニットを上方から差し入れ、連結凸部と連結凹部を連結させながら嵌め込むことができる。
【００３３】
図２６は、歩道や公園の広場などに用いて好適な植生舗装における植生ユニット１と舗装ユニット２’の組み合わせパターンの１例を示している。
この場合の舗装ユニット２’は、植生ユニット１と同じ大きさの正方形に形成されている。植生ユニット１と舗装ユニット２’は市松模様に組み合わされ、植生ユニット１の４辺には舗装ユニット２’が連結されているので、強度が確保されると共に、美感に優れたものとなる。
【符号の説明】
【００３４】
１  植生ユニット
１１  枠体
１２  連結凸部
１２ａ  上向き突部
１２ｂ  下向き突部
１３  連結凹部
１３ａ  上方受部
１３ｂ  下方受部
１３ｃ  袖壁部
１４  穴
１５  植生材
１６  連結凸部
１６ａ  上向き突部
１６ｂ  下向き突部
１７  連結凹部
１７ａ  上端面
１７ｂ  下端面
１７ｃ  袖壁部
２  舗装ユニット
２１  枠体
２２  連結凸部
２３  連結凹部
２４  補強棒
２５  硬化材
３  中央通路
４  車止め
【図１】
2011106207.tif 000003
【図２】
2011106207.tif 000004
【図３】
2011106207.tif 000005
【図４】
2011106207.tif 000006
【図５】
2011106207.tif 000007
【図６】
2011106207.tif 000008
【図７】
2011106207.tif 000009
【図８】
2011106207.tif 000010
【図９】
2011106207.tif 000011
【図１０】
2011106207.tif 000012
【図１１】
2011106207.tif 000013
【図１２】
2011106207.tif 000014
【図１３】
2011106207.tif 000015
【図１４】
2011106207.tif 000016
【図１５】
2011106207.tif 000017
【図１６】
2011106207.tif 000018
【図１７】
2011106207.tif 000019
【図１８】
2011106207.tif 000020
【図１９】
2011106207.tif 000021
【図２０】
2011106207.tif 000022
【図２１】
2011106207.tif 000023
【図２２】
2011106207.tif 000024
【図２３】
2011106207.tif 000025
【図２４】
2011106207.tif 000026
【図２５】
2011106207.tif 000027
【図２６】
2011106207.tif 000028